(57)【要約】      （修正有）【課題】平易且つ安全に意匠部が切替でき、挟持力の低下を招来せず、着用時に意匠部の歪みを生じない棒型のネクタイ止めの提供。【解決手段】ネクタイ止め本体１に備えられた接続部１４とネクタイ止め可動体２が軸着され、ネクタイ止め本体１は、接続部１４を有する基端部１０と、基端部１０から先端方向へ向けて設けられる軸部１１と、軸部１１に回動可能に取着され複数の意匠面を有する回転意匠部１３を備え、ネクタイ止め本体１は、軸部１１の先端に先端固定部１２を備え、ネクタイ止め可動体２からネクタイ止め本体１側へ向けて突出する突設体４を備え、ネクタイ止め本体１とネクタイ止め可動体２の各先端側が閉じた状態で前記先端固定部１２とネクタイ止め可動体２の先端部が当接し、且つ、突設体４が回転意匠部１３の回動を妨げない位置に配置され、回転意匠部１３が回動可能である。【選択図】図３
0003227241.tif 000002
【実用新案登録請求の範囲】
【請求項１】
接続部を備えるネクタイ止め本体と、ネクタイ止め可動体と、バネ体とを備え、
前記接続部とネクタイ止め可動体が軸着され、前記バネ体の付勢により、前記ネクタイ止め本体と前記ネクタイ止め可動体の各先端側が閉じるように構成され、
ネクタイ止め本体は、前記接続部を有する基端部と、該基端部から先端方向へ向けて設けられる軸部と、該軸部に回動可能に取着され少なくとも２面の意匠面を有する回転意匠部を備えたネクタイ止めにおいて、
前記ネクタイ止め本体は、前記軸部の先端に先端固定部を備え、
前記ネクタイ止め可動体からネクタイ止め本体側へ向けて突出する突設体を備え、
ネクタイ止め本体とネクタイ止め可動体の各先端側が閉じた状態で
前記先端固定部とネクタイ止め可動体の先端部が当接し、且つ、前記突設体が回転意匠部の回動を妨げない位置に配置され、前記回転意匠部が回動可能であることを特徴とするネクタイ止め。
【請求項２】
ネクタイ止め本体とネクタイ止め可動体の各先端側が閉じた状態で
回転意匠部に最も近接する突設体の部位と前記回転意匠部との最大距離（Ｅ）が５ｍｍ以下であることを特徴とする請求項１に記載のネクタイ止め。
【請求項３】
突設体は、弾性を有することを特徴とする請求項１又は２に記載のネクタイ止め。
【請求項４】
突設体は、回転意匠部と非接触であることを特徴とする請求項１又は２に記載のネクタイ止め。
【請求項５】
前記基端部の正面側に位置する基端部表面と、前記先端固定部の正面側に位置する先端固定部表面とを備え、前記回転意匠部の第１の意匠面および第２の意匠面のうち正面側となる意匠面が、正面側において前記基端部表面および前記先端固定部表面と一体となる意匠部を構成することを特徴とする請求項１、２、３又は４のいずれか１項に記載のネクタイ止め。
【考案の詳細な説明】
【技術分野】
【０００１】
本考案は、ネクタイ止めに関し、特には、一本で複数通りの意匠部の切り替えができる棒型のネクタイ止めに関する。
【背景技術】
【０００２】
従来、ネクタイ止めは一本でひとつの意匠部を有していることから、異なる複数の意匠のネクタイ止めを使用するには、複数本のネクタイ止めを用意する必要があった。
しなしながら、複数本のネクタイ止めを用意せずとも、一本で複数の意匠部の切替を可能とするネクタイ止めが考案されている。
【０００３】
このような一本で複数通りの意匠部の切替ができるネクタイ止めとしては、非棒型のネクタイ止めであって、装飾部分を周縁部と中央部とに分け、周縁部の二つの支点を中心に中央部が回転し得るように、中央部を二つの支点で周縁部に連結したネクタイ止めが公知である（例えば、特許文献１参照。）
【０００４】
当該特許文献１に係るネクタイ止めは、非棒型のネクタイ止めであるため、棒型のネクタイ止めには適さない構成である。一方で、装飾盤中央部の周縁部に対する振れ（歪み）をなくすために、中央部外縁に、周縁部内側よりわずかに小さい弾性細縁を貼付し、周縁部内側には前記弾性細縁を受け入れる細溝を彫り込んだ構成を開示している。
【０００５】
しかしながら、当該構成によれば、弾性細縁が長期間の使用により磨滅や剥離を生じやすい欠点がある。
また、当該振れに対する手段は、ネクタイ止めが非棒状の形状（具体的には、中央部と周縁部とを分け、相互に係止させる構成）であることから可能であり、棒型のネクタイ止めには適用できない構成であった。
【０００６】
また、一本で複数通りの意匠部の切替が可能な棒型のネクタイ止めとして、意匠部となるバーと、挟持部と、バーと挟持部とを連結する連結板とを備え、連結版は棒（軸）を備え、前記バーが棒を中心軸として回動する構成とした、ネクタイ止めが公知である（例えば、特許文献２参照。）。
【先行技術文献】
【特許文献】
【０００７】
【特許文献１】実開昭５８−１５２１０６号公報およびその昭和５４年５月４日付けの手続補正書
【特許文献２】実開平５−４８７０５号公報
【考案の概要】
【考案が解決しようとする課題】
【０００８】
上記特許文献２に係る棒型のネクタイ止めは、意匠部となるバーが歪みやすく、また当該歪みを防止する手段を有しないものであった。当該特許文献２には、異なる実施例として、バーの歪みを生じない構成を併せて開示しているが（特許文献２の図３、図７参照。）、当該構成によれば、意匠部を回転させることができず、意匠部を棒から取り外して向きを変え、再度棒へ意匠部を嵌め込む必要があり、非常に不便であった。
【０００９】
また、特許文献２に係るネクタイ止めは、意匠部の切替を行う際の手順が複雑であり、かつ、安全性に乏しいものであった。即ち、意匠部の切替を行う際には、ネクタイ止めを最大限に開き、左の人差し指を挟み込み、右手でネクタイ止めを左右から掴み直し、左の人差し指を抜いたのち、意匠部であるバーを回転させる。このため、左指を傷つける虞があるうえ、右手での掴み直しには、相当の力を用いないとネクタイ止めは閉口し、操作が中断する。
円滑、安全に行うためには、バネの力を弱める必要も生じるが、バネの力を弱めると、ネクタイ止め自体の挟持力が減少し、ネクタイ止めとしての機能が低下することにもなる。
【００１０】
本考案は、以上の事情に鑑みてなされたものであり、棒型のネクタイ止めにおいて、簡単、安全に意匠部の切替ができ、挟持力の低下を招来することもなく、着用時には意匠部の歪みを生じることのない、優れたデザイン性を発揮できるネクタイ止めの提供を、考案が解決しようとする課題とする。
【課題を解決するための手段】
【００１１】
本考案は、
接続部を備えるネクタイ止め本体と、ネクタイ止め可動体と、バネ体とを備え、前記接続部とネクタイ止め可動体が軸着され、前記バネ体の付勢により、前記ネクタイ止め本体と前記ネクタイ止め可動体の各先端側が閉じるように構成され、ネクタイ止め本体は、前記接続部を有する基端部と、該基端部から先端方向へ向けて設けられる軸部と、該軸部に回動可能に取着され少なくとも２面の意匠面を有する回転意匠部を備えたネクタイ止めにおいて、
前記ネクタイ止め本体は、前記軸部の先端に先端固定部を備え、前記ネクタイ止め可動体からネクタイ止め本体側へ向けて突出する突設体を備え、ネクタイ止め本体とネクタイ止め可動体の各先端側が閉じた状態で前記先端固定部とネクタイ止め可動体の先端部が当接し、且つ、前記突設体が回転意匠部の回動を妨げない位置に配置され、前記回転意匠部が回動可能であることを特徴とするネクタイ止めを、上記課題を解決するための手段とする。
【００１２】
また本考案は、上記考案の構成を前提として、ネクタイ止め本体とネクタイ止め可動体の各先端側が閉じた状態で、回転意匠部に最も近接する突設体の部位における前記回転意匠部との最大距離が５ｍｍ以下であることを特徴とするネクタイ止めを、上記課題を解決するための手段とする。
【００１３】
また本考案は、上記いずれかの考案の構成を前提として、突設体は弾性を有することを特徴とするネクタイ止めを、上記課題を解決するための手段とする。
【００１４】
また本考案は、上記いずれかの考案の構成を前提として、突設体は、回転意匠部と非接触であることを特徴とするネクタイ止めを、上記課題を解決するための手段とする。
【００１５】
また本考案は、上記いずれかの考案の構成を前提として、基端部の正面側に位置する基端部表面と、先端固定部の正面側に位置する先端固定部表面とを備え、回転意匠部の第１の意匠面および第２の意匠面のうち正面側となる意匠面が、正面側において前記基端部表面および先端固定部表面と一体となる意匠部を構成することを特徴とするネクタイ止めを、上記課題を解決するための手段とする。
【考案の効果】
【００１６】
本考案によれば、
突設体を備えることで、ネクタイ止め本体と突設体との間にネクタイの生地を挟み込むことによって、ネクタイ止め本体の回転意匠部がネクタイの生地に押圧され、回動が阻止され、回転意匠部の不用意な歪みを防止することができる。
【００１７】
また、前記ネクタイ止め本体は、前記軸部の先端に先端固定部を備え、前記ネクタイ止め可動体からネクタイ止め本体側へ向けて突出する突設体を備え、ネクタイ止め本体とネクタイ止め可動体の各先端側が閉じた状態で前記先端固定部とネクタイ止め可動体の先端部が当接し、且つ、前記突設体が回転意匠部の回動を妨げない位置に配置したことで、前記回転意匠部が回動可能であることとしたから、ネクタイ止めを開いたり、指を差し込んだりしなくても、意匠部の切替ができ、安全性、利便性を高めることができる。
【００１８】
また本考案によれば、上記考案の構成を前提として、ネクタイ止め本体とネクタイ止め可動体の各先端側が閉じた状態で、回転意匠部に最も近接する突設体の部位と前記回転意匠部との最大距離が５ｍｍ以下としたことによっては、特に、ネクタイの生地の厚みに対応し、回転意匠部がネクタイの生地に押圧され、回動が阻止され、回転意匠部の不用意な歪みを防止することができる。
【００１９】
また本考案によれば、上記考案の構成を前提として、突設体は弾性を有することを特徴とするネクタイ止めとしたことによっては、回転意匠部を回転させる際に、突設体が回転意匠部と接触しても回転意匠部を弾性変形させることで、回転意匠部の回転を阻害しないものとすることができる。
【００２０】
また本考案によれば、上記考案の構成を前提として、突設体は、回転意匠部と非接触であるとしたことによっては、回転意匠部の回転を円滑とし、操作性を向上させることができる。
【００２１】
また本考案によれば、上記考案の構成を前提として、基端部の正面側に位置する基端部表面と、先端固定部の正面側に位置する先端固定部表面とを備え、回転意匠部の第１の意匠面および第２の意匠面のうち正面側となる意匠面が、正面側において前記基端部表面および先端固定部表面と一体となる意匠部を構成することから、回転意匠部と、基端部表面と、先端固定部表面との組み合わせによって、一の意匠を構成できるため、デザイン性を高めることができる。
【図面の簡単な説明】
【００２２】
【図１】本考案の実施例１に係るネクタイ止めを示す（ａ）正面図、（ｂ）底面図、（ｃ）左側面図である。
【図２】本考案の実施例１に係るネクタイ止めの組立図である。
【図３】本考案の実施例１に係るネクタイ止めの（ａ）図１におけるＡ−Ａ断面図、（ｂ）軸部を中心として回転意匠部を９０度回転させた状態を示す断面図、（ｃ）ネクタイに取付けた状態を示す断面図である。
【図４】本考案の実施例２に係るネクタイ止めの（ａ）断面図、（ｂ）軸部を中心として回転意匠部を９０度回転させた状態を示す断面図である。
【考案を実施するための形態】
【００２３】
以下に本考案の実施例について説明する。尚、本考案は、以下の実施例に限定されるものではなく、本考案の開示する技術的思想の範囲内において、種々の変形、設計変更等がされた形状等に及ぶ。
尚、図面中の方向を示す矢印について、Ｆは正面方向、Ｂは背面方向、Ｕは平面方向、Ｄは底面方向、Ｒは右側面方向、Ｌは左側面方向を示す。また図１における右側面方向を先端方向、左側面方向を基端方向とする。
【実施例１】
【００２４】
本考案の実施例に係るネクタイ止めは、図１に示すように、ネクタイ止め本体１と、ネクタイ止め可動体２と、バネ体３と、突設体４、軸体５とを備える。
【００２５】
図２に示すように、ネクタイ止め本体１は、基端部１０と、先端固定部１２と、軸部１１と、回転意匠部１３と、接続部１４を備える。
基端部１０から先端側に向けて軸部１１を有するとともに、基端部１０下面から接続部１４を備える。軸部１１は円柱状を有する。
基端部１０は表面側に基端部表面を有する。本実施例においては、基端部１０は全体に銀色の鍍金処理がされている。また先端固定部１２も同様に全体に銀色の鍍金処理がされている。
【００２６】
回転意匠部１３は、軸部１１より短く形成されており、円形の貫通穴１３０を有する。軸部１１は回転意匠部１３の貫通穴１３０を貫通し、先端を先端固定部１２の取付穴１２０に取着する。
回転意匠部１３は、軸部１１を中心として回動可能となる。本実施例に係るネクタイ止め１００の回転意匠部１３は、表面側に第１の意匠面１３１、裏面側に第２の意匠面１３２を有する。第１の意匠面１３１は、銀色の鍍金処理がされており、第２の意匠面１３２は、ローレット加工とともに黒色の鍍金処理がされている。
このため、第１の意匠面１３１が正面側にある場合には、銀色の鍍金処理がされた基端部１０の基端部表面１０ａと先端固定部１２の先端固定部表面１２ａとの間に銀色の鍍金処理がされた第１の意匠面が表示され、これらが一体となって、銀色の鍍金処理がされた意匠部が表示される。
また第２の意匠面１３２が正面側にある場合には、銀色の鍍金処理がされた基端部１０の基端部表面１０ａと先端固定部１２の先端固定部表面１２ａとの間に黒色の鍍金処理がされた第２の意匠面が表示され、これらが一体となって、黒色と銀色とからなるパターンの意匠部が表示される。
【００２７】
接続部１４は、下方から先端側へ屈曲して設けられ、屈曲部分には、突設体４の一端を掛止する本体掛止部１４０を備え、先端側は二股に分岐した二股部１４１し、二股部１４１の両端には互いに同軸となる軸穴１４２を有する。
【００２８】
ネクタイ止め可動体２は、基端側に指掛け部２０を備え、指掛け部２０から先端側に向けて可動体本体部２１を有する。可動体本体部２１は、両縁を起立させた起立縁２１０を有する。起立縁２１０のうち基端側位置には軸穴２１１を有する。可動体本体部２１の先端部には、突設体４の一端を固定するための固定用爪部２２と、先端固定部１２に当接可能な突起部２３を有する。
【００２９】
バネ体３は捻りコイルばねを用いている。
【００３０】
突設体４は、長尺の金属板からなり長手方向のほぼ中央部を凸状に屈曲してなる押圧部４０を有し、その先端側および基端側を凹状に屈曲してなる。基端側の凹状部分は、本体掛止部１４０と掛止する掛止部４１となる。先端部は、固定用爪部２２によって固定される固定端部４２となる。押圧部４０は、回転意匠部１３に最も近接する突設体４の部位となる。
【００３１】
突設体４の固定端部４２を固定用爪部２２で固定する。バネ体３の両端を基端側に向けた状態において、当該バネ体３の軸中心と、接続部１４の軸穴１４２と、ネクタイ止め可動体２の軸穴２１１とを一致させ、軸体５を貫通固定する。突設体４の掛止部４１を本体掛止部１４０に掛止する。バネ体３の一方の先端が本体掛止部１４０に当接し、バネ体３の他方の先端が指掛け部２０に当接し、ネクタイ止め１００の先端側を閉じる方向に付勢する。
当該工程によって、ネクタイ止め１００が構成できる。
【００３２】
回転意匠部１３の第１の意匠面１３１を正面に表示させた状態において、突設体４の押圧部４０と回転意匠部１３との距離が最大となる。突設体４の押圧部４０と回転意匠部１３との最大距離は３ｍｍ程度としてある（図３（ａ）参照。）。
【００３３】
本考案の実施例に係るネクタイ止め１００は、ネクタイを挟持しない閉口状態において、先端固定部１２と突起部２３とが当接しており、且つ、突設体４は、回転意匠部１３を回転させても干渉しない構成である（図３（ｂ）参照。）。
【００３４】
このため、ネクタイを挟持しない閉口状態で、例えば、左手の親指及び人差し指で、接続部１４と指掛け部２０を側方から摘み、右手の親指及び人差し指で回転意匠部１３を回転させることで、当該ネクタイ止め１００を開口させることもなく、簡単に回転意匠部１３の切替を行うことができる。
また指を挟み込むこともないので、安全に回転意匠部１３の切替を行うことができる。
【００３５】
そして、ネクタイに取着する際には、通常のネクタイ止めと同様に、基端部１０と指掛け部２０とを指で摘んで先端を開口させる。回転意匠部１３と突設体４の押圧部４０との間にネクタイを導入する（図３（ｃ）参照。）。回転意匠部１３と突設体４の押圧部４０との間隔は近接しており、ネクタイが介在することで、回転意匠部１３は、押圧部４０の反発弾性力によって押し付けられたネクタイの生地に押圧され、回転が阻止される。
【実施例２】
【００３６】
本実施例２に係るネクタイ止め１００は、基本構成は実施例１のネクタイ止め１００と共通する。本実施例２に係るネクタイ止め１００は、図４に示すように、突設体４と回転意匠部１３との距離を低減させ、押圧部４０と、前記回転意匠部１３との最大距離Ｅでは、突設体４の押圧部４０の表面と回転意匠部１３が接触する（図４（ｂ）参照。）。
突設体４は、ばね弾性を有している。このため回転意匠部１３と接触すると、突設体４の押圧部４０は僅かに押し戻されるように弾性変形して回転意匠部を逃すため、回転意匠部１３は回転を阻害されることなく回動できる。
【００３７】
本実施例２に係るネクタイ止め１００は、実施例１に係るネクタイ止め１００と比較して、突設体４と回転意匠部１３との最大距離Ｅをより小さくすることで、所定厚さのネクタイ６を挟み込んだ際に、バネ体の反発弾性力をより高め、また、より薄いネクタイ６（例えば、薄い絹織物等のネクタイ等）であっても確実に挟持でき、回転意匠部１３の不用意な歪みを確実に防止できるようにしたものである。
【００３８】
上記実施例２においては、突設体４を金属製の板材から構成し、ばね弾性を有する構成としたが、本考案は当該構成に限定されるものではなく、例えば突設体４を、弾性を有する合成樹脂若しくは合成ゴムからなるものとし、素材の有する弾性を利用することもできる。
【００３９】
また本考案によれば、いずれの実施例についても回転意匠部１３の意匠面として第１の意匠面１３１と第２の意匠面１３２を有する構成として説明したが、本考案は当該構成に限定されるものではなく、第３、第４の意匠面等、更に複数の意匠面を設けてもよい。回転意匠部１３の短手方向断面輪郭は、多角形とすることもできるし、円形とすることもできる。
【００４０】
上記実施例において、回転意匠部に最も近接する突設体の部位となる押圧部４０と、前記回転意匠部１３との最大距離Ｅを実施例１では３ｍｍ程度、実施例２では１．５ｍｍ程度としているが、本考案は当該構成に限定されるものではなく、例えば、押圧部が５ｍｍ以下程度とすることができる。５ｍｍを超えると押圧部４０と回転意匠部１３との隙間が大きくなり、ネクタイを挟んだ際に、回転意匠部の歪みを十分に抑止できなくなるからである。
【符号の説明】
【００４１】
１００    ネクタイ止め
１        ネクタイ止め本体
１０      基端部
１０ａ    基端部表面
１１      軸部
１２      先端固定部
１２ａ    先端固定部表面
１２０    取付穴
１３      回転意匠部
１３０    貫通穴
１３１    第１の意匠面
１３２    第２の意匠面
１４      接続部
１４０    本体掛止部
１４１    二股部
１４２    軸穴
２        ネクタイ止め可動体
２０      指掛け部
２１      可動体本体部
２１０    起立縁
２２      固定用爪部
２３      突起部
３        バネ体
４        突設体
４０      押圧部
４１      掛止部
４２      固定端部
５        軸体
６        ネクタイ
Ｅ        距離
【図１】
0003227241.tif 000003
【図２】
0003227241.tif 000004
【図３】
0003227241.tif 000005
【図４】
0003227241.tif 000006